(57)【要約】      （修正有）【課題】取り付けが利便であり、ペットの異なる成長段階によって高さを調整し、浪費を回避し、使用しないときは部品を取り外し、搬送と貯蔵体積を節約できる高さ調節可能な碗を提供する。【解決手段】高さ調節可能な碗は、台座と、一端が台座に固定される昇降支持ポール２と、昇降支持ポールの他端に固定される碗座３と、互いに協働する固定部品４および押圧部品４２を有し、固定部品が固定孔を有し、昇降支持ポールが貫通して一部が固定孔内に位置し、押圧部品が固定部品に対して作用力を加えて昇降支持ポールを碗座に固定させる。固定部品が、碗座に嵌合固定しまたは碗座に設置される昇降ロック部品４と、碗座に設置される碗体５と、を含み、簡単な機械構造で摩擦力を発生させて位置を固定し、高さの無段調節を実現する。【選択図】図１
0003211173.tif 000002
【実用新案登録請求の範囲】
【請求項１】
台座と、
一端がこの台座に固定される昇降支持ポールと、
昇降支持ポールの他端に固定される碗座と、
互いに協働する固定部品および押圧部品を有し、この固定部品が固定孔を有し、昇降支持ポールが貫通して一部がこの固定孔内に位置し、押圧部品が固定部品に対して作用力を加えて昇降支持ポールを碗座に固定させ、固定部品が碗座に嵌合固定しまたは碗座に設置される昇降ロック部品と、
碗座に設置される碗体と、
を含むことを特徴とする高さ調節可能な碗。
【請求項２】
碗座が通孔を有し、前記固定部品が碗座の一側から一体延伸して形成し、固定孔と通孔が互いに連通し、昇降支持ポールは固定孔と通孔を貫通して一部がこの固定孔内に位置する
ことを特徴とする請求項１に記載の高さ調節可能な碗。
【請求項３】
碗座の一側に延伸部が設置され、延伸部に通孔が設置され、前記固定部品が通孔に固定される位置決め部を有し、位置決め部から本体部が下へ延伸し、固定孔が貫通して位置決め部および本体部に設置される
ことを特徴とする請求項１に記載の高さ調節可能な碗。
【請求項４】
固定部品が本体部を有し、この本体部の一側には貫通して貫通溝が設置され、貫通溝は通孔と互いに連通し、貫通溝の両側にそれぞれボスが設置され、両ボスにそれぞれ貫通孔が設置され、回転軸は両貫通孔に位置し、摩擦体は貫通溝に位置し、かつ昇降支持ポールに接触し、押圧部品は摩擦体の昇降支持ポールに離れる一側に位置する回転部を有し、且つ回転部は摩擦体に当接し、この回転部には偏心孔が貫通して設置され、回転軸はこの偏心孔に位置し、この回転軸によって押圧部品が本体部に固定され、レンチ部は回転部の一側に設置され、このレンチ部によって回転部を連れてロック位置およびアンロック位置に回動する
ことを特徴とする請求項２または３に記載の高さ調節可能な碗。
【請求項５】
本体部には下から上まで可動溝が開設され、この可動溝は固定孔と貫通溝とを連通させる
ことを特徴とする請求項４に記載の高さ調節可能な碗。
【請求項６】
位置決め部の外周に外ネジ山が設置され、碗座ロック部品内の上端には対応して内ネジ山を設置し、碗座ロック部品は延伸部外をカバーし、位置決め部は上へ延伸部の通孔を貫通し、内ネジ山と外ネジ山とは嵌合して固定する
ことを特徴とする請求項４に記載の高さ調節可能な碗。
【請求項７】
両阻止筋はそれぞれ貫通溝の両側に凸設され、阻止筋は固定孔に近づき、かつそれぞれ摩擦体の両側に当接し、摩擦体は両阻止筋に対応してそれぞれ凹部を設置し、回転部がロック位置まで回転するとき、阻止筋が凹部にきつく嵌合し、摩擦体が昇降支持ポールに当接し、回転部がアンロック位置まで回転するとき、阻止筋が凹部に緩く嵌合し、摩擦体が昇降支持ポールと特定の距離の間隔をあけてまたはただ接触する
ことを特徴とする請求項４に記載の高さ調節可能な碗。
【請求項８】
摩擦体の回転部に近づく一側に嵌合接続部が凹設され、回転部がロック位置まで回転するとき、回転部が嵌合接続部にきつく嵌合し、回転部がアンロック位置までに回転するとき、回転部が嵌合接続部に緩く嵌合する
ことを特徴とする請求項４に記載の高さ調節可能な碗。
【請求項９】
碗座は通孔の両側に位置してそれぞれ穿孔が設置され、両碗体がそれぞれ両穿孔に固設される
ことを特徴とする請求項１に記載の高さ調節可能な碗。
【請求項１０】
固定部品は碗座に嵌合固定されまたは碗座に設置される位置決め部を有し、位置決め部から下へ本体部が設置され、固定孔は位置決め部および本体部を貫通して設置され、本体部から下へ複数のロック部が延伸し、隣接する両ロック部ごとに変形溝を有し、押圧部品はロック部に対して押圧し、ロック部は昇降支持ポールを固定させる
ことを特徴とする請求項１に記載の高さ調節可能な碗。
【請求項１１】
本体部外には外ネジ山が設置され、押圧部品に貫通してロック孔が設置され、ロック孔内の上端に内ネジ山は設置され、かつ孔径がロック部の外径より大きく、ロック孔内の下端の孔径がロック部の外径より小さく、内ネジ山が外ネジ山と嵌合固定するとき、ロック孔がロック部を押圧し、変形溝体積が縮小し、ロック部は昇降支持ポールに当接し、昇降支持ポールと固定部品がロック位置に位置する
ことを特徴とする請求項１０に記載の高さ調節可能な碗。
【請求項１２】
押圧部品が碗座に嵌合固定されまたは碗座に設置され、押圧部品が貫通してロック孔を設置し、固定部品には固定孔の周囲に囲む複数の変形部が設置され、変形部はロック孔内に位置し、変形部の下に阻止部が設置され、阻止部が上へ押圧部品に当接するとき、変形部が昇降支持ポールに当接し、昇降支持ポールと固定部品とがロック位置に位置する
ことを特徴とする請求項１に記載の高さ調節可能な碗。
【請求項１３】
変形部は阻止部に離れる方向に絞る
ことを特徴とする請求項１２に記載の高さ調節可能な碗。
【請求項１４】
固定部品は延長部を有し、この延長部は阻止部から下へ延伸して形成し、かつ昇降支持ポールに当接し、延長部の両外側にそれぞれ凸点が設置される
ことを特徴とする請求項１２に記載の高さ調節可能な碗。
【請求項１５】
台座には円孔が設置され、固定柔軟カバーは下へこの円孔内に固設され、昇降支持ポールが固定柔軟カバー内に固定され、且つ固定柔軟カバーが下へ絞る
ことを特徴とする請求項１に記載の高さ調節可能な碗。
【請求項１６】
台座には円孔が設置され、係止部品によって昇降支持ポールを台座に固定させ、係止部品は互いに協働するベース、摩擦部品および上蓋を有し、係止孔は上下方向に上蓋、摩擦部品およびベースを貫通し、昇降支持ポールが係止孔内に固設される
ことを特徴とする請求項１に記載の高さ調節可能な碗。
【請求項１７】
ベースの上端には外ネジ山を有し、ベースの下端には複数の隔離部を有し、隣接する両隔離部の間に棒状孔が設置され、棒状孔は係止孔と互いに連通し、下方に当接部が接続され、摩擦部品の内側には間隔をあけて複数の突起筋が設置され、突起筋は対応して棒状孔内に進入し、且つ係止孔に露出し、摩擦部品の一側には上下方向に貫通してギャップを設置し、摩擦部品は隔離部の外周をカバーしてかつ下へ当接部に当接し、上蓋は摩擦部品の外周をカバーする
ことを特徴とする請求項１６に記載の高さ調節可能な碗。
【請求項１８】
上蓋の上端に内ネジ山が設置され、内ネジ山は外ネジ山と嵌合固定し、上蓋、摩擦部品およびベースはいずれも上へ絞る
ことを特徴とする請求項１７に記載の高さ調節可能な碗。
【請求項１９】
上蓋の外側に複数の補強リブが設置され、複数の補強リブは上蓋の外周に設置され、複数の補強リブの下に抵抗部が設置され、抵抗部は当接部と嵌合して位置決めする
ことを特徴とする請求項１７に記載の高さ調節可能な碗。
【請求項２０】
突起筋は係止孔の中心に向かって絞り、突起筋の自由端両側にそれぞれ案内部が設置される
ことを特徴とする請求項１７に記載の高さ調節可能な碗。
【考案の詳細な説明】
【技術分野】
【０００１】
本考案は、高さ調節可能な碗に関し、特に、単一支持ポールによる高さ調節可能な碗に関する。
【背景技術】
【０００２】
経済の発展に従い、人の生活レベルがますます高くなり、ペットはすでに人の親密な仲間になった。人であってもペットであっても、飲食はいつまでも最も重要な問題であり、飲食するとき、碗に関わっている。ペットの成長に従って、ペットが快適に摂食するために、異なる高さの碗を交換する必要があり、長年にわたって、浪費となり、それとともに、ペットは老年期に入ると、頭を下げにくい症状があり、高さが適切ではない碗が摂食の困難の原因となる。市場では、高さ調節可能なペット碗は、構造が複雑であり、主に２種類があり、１つの種類は４つの足が昇降し、操作が不便であり、かつ４つの足の高さはばらつきがあり、平坦でない。もう１つの種類は、単一支持ポールで昇降し、昇降できる高さが幾つかの段階があり、自由に高さを昇降できない。
【０００３】
従って、上述した問題を克服するために、良好な高さ調節可能な碗を設計する必要がある。
【考案の概要】
【考案が解決しようとする課題】
【０００４】
背景技術における問題に対して、本考案の目的は昇降ロック部品、固定部品および押圧部品を設置して昇降支持ポールを嵌合固定し、高さを自由に調節する効果を達する高さ調節可能な碗を提供することにある。
【課題を解決するための手段】
【０００５】
上記の目的を実現するために、本考案は以下の技術手段を利用する。
【０００６】
高さ調節可能な碗であって、台座と、一端がこの台座に固定される昇降支持ポールと、昇降支持ポールの他端に固定される碗座と、互いに協働する固定部品および押圧部品を有し、この固定部品が固定孔を有し、昇降支持ポールが貫通して一部がこの固定孔内に位置し、押圧部品が固定部品に対して作用力を加えて昇降支持ポールを碗座に固定させ、固定部品が碗座に嵌合固定しまたは碗座に設置される昇降ロック部品と、碗座に設置される碗体と、を含む高さ調節可能な碗。
【０００７】
さらに、碗座が通孔を有し、前記固定部品が碗座の一側から一体延伸して形成し、固定孔と通孔が互いに連通し、昇降支持ポールは固定孔と通孔を貫通して一部がこの固定孔内に位置する。
【０００８】
さらに、碗座の一側に延伸部が設置され、延伸部に通孔が設置され、前記固定部品が通孔に固定される位置決め部を有し、位置決め部から本体部が下へ延伸し、固定孔が貫通して位置決め部および本体部に設置される。
【０００９】
さらに、固定部品が本体部を有し、この本体部の一側には貫通して貫通溝が設置され、貫通溝は通孔と互いに連通し、貫通溝の両側にそれぞれボスが設置され、両ボスにそれぞれ貫通孔が設置され、回転軸は両貫通孔に位置し、摩擦体は貫通溝に位置し、かつ昇降支持ポールに接触し、押圧部品は摩擦体の昇降支持ポールに離れる一側に位置する回転部を有し、且つ回転部は摩擦体に当接し、この回転部には偏心孔が貫通して設置され、回転軸はこの偏心孔に位置し、この回転軸によって押圧部品が本体部に固定され、レンチ部は回転部の一側に設置され、このレンチ部によって回転部を連れてロック位置およびアンロック位置に回動する。
【００１０】
さらに、本体部には下から上まで可動溝が開設され、この可動溝は固定孔と貫通溝とを連通させる。
【００１１】
さらに、位置決め部の外周に外ネジ山が設置され、碗座ロック部品内の上端には対応して内ネジ山を設置し、碗座ロック部品は延伸部外をカバーし、位置決め部は上へ延伸部の通孔を貫通し、内ネジ山と外ネジ山とは嵌合して固定する。
【００１２】
さらに、両阻止筋はそれぞれ貫通溝の両側に凸設され、阻止筋は固定孔に近づき、かつそれぞれ摩擦体の両側に当接し、摩擦体は両阻止筋に対応してそれぞれ凹部を設置し、回転部がロック位置まで回転するとき、阻止筋が凹部にきつく嵌合し、摩擦体が昇降支持ポールに当接し、回転部がアンロック位置まで回転するとき、阻止筋が凹部に緩く嵌合し、摩擦体が昇降支持ポールと特定の距離の間隔をあけてまたはただ接触する。
【００１３】
さらに、摩擦体の回転部に近づく一側に嵌合接続部が凹設され、回転部がロック位置まで回転するとき、回転部が嵌合接続部にきつく嵌合し、回転部がアンロック位置までに回転するとき、回転部が嵌合接続部に緩く嵌合する。
【００１４】
さらに、碗座は通孔の両側に位置してそれぞれ穿孔が設置され、両碗体がそれぞれ両穿孔に固設される。
【００１５】
さらに、固定部品は碗座に嵌合固定されまたは碗座に設置される位置決め部を有し、位置決め部から下へ本体部が設置され、固定孔は位置決め部および本体部を貫通して設置され、本体部から下へ複数のロック部が延伸し、隣接する両ロック部ごとに変形溝を有し、押圧部品はロック部に対して押圧し、ロック部は昇降支持ポールを固定させる。
【００１６】
さらに、本体部外には外ネジ山が設置され、押圧部品に貫通してロック孔が設置され、ロック孔内の上端に内ネジ山は設置され、かつ孔径がロック部の外径より大きく、ロック孔内の下端の孔径がロック部の外径より小さく、内ネジ山が外ネジ山と嵌合固定するとき、ロック孔がロック部を押圧し、変形溝体積が縮小し、ロック部は昇降支持ポールに当接し、昇降支持ポールと固定部品がロック位置に位置する。
【００１７】
さらに、押圧部品が碗座に嵌合固定されまたは碗座に設置され、押圧部品が貫通してロック孔を設置し、固定部品には固定孔の周囲に囲む複数の変形部が設置され、変形部はロック孔内に位置し、変形部の下に阻止部が設置され、阻止部が上へ押圧部品に当接するとき、変形部が昇降支持ポールに当接し、昇降支持ポールと固定部品とがロック位置に位置する。
【００１８】
さらに、変形部は阻止部に離れる方向に絞る。
【００１９】
さらに、固定部品は延長部を有し、この延長部は阻止部から下へ延伸して形成し、かつ昇降支持ポールに当接し、延長部の両外側にそれぞれ凸点が設置される。
【００２０】
さらに、台座には円孔が設置され、固定柔軟カバーは下へこの円孔内に固設され、昇降支持ポールが固定柔軟カバー内に固定され、且つ固定柔軟カバーが下へ絞られる。
【００２１】
さらに、台座には円孔が設置され、係止部品によって昇降支持ポールを台座に固定させ、係止部品は互いに協働するベース、摩擦部品および上蓋を有し、係止孔は上下方向に上蓋、摩擦部品およびベースを貫通し、昇降支持ポールが係止孔内に固設される。
【００２２】
さらに、ベースの上端には外ネジ山を有し、ベースの下端には複数の隔離部を有し、隣接する両隔離部の間に棒状孔が設置され、棒状孔は係止孔と互いに連通し、下方に当接部が接続され、摩擦部品の内側には間隔をあけて複数の突起筋が設置され、突起筋は対応して棒状孔内に進入し、且つ係止孔に露出し、摩擦部品の一側には上下方向に貫通してギャップを設置し、摩擦部品は隔離部の外周をカバーしてかつ下へ当接部に当接し、上蓋は摩擦部品の外周をカバーする。
【００２３】
さらに、上蓋の上端に内ネジ山が設置され、内ネジ山は外ネジ山と嵌合固定し、上蓋、摩擦部品およびベースはいずれも上へ絞る。
【００２４】
さらに、上蓋の外側に複数の補強リブが設置され、複数の補強リブは上蓋の外周に設置され、複数の補強リブの下に抵抗部が設置され、抵抗部は当接部と嵌合して位置決めする。
【００２５】
さらに、突起筋は係止孔の中心に向かって絞り、突起筋の自由端両側にそれぞれ案内部が設置される。
【考案の効果】
【００２６】
従来の技術に比べて、本考案は以下の有益な効果を有する。
【００２７】
上述した高さ調節可能な碗では、昇降ロック部品の固定部品と押圧部品とが互いに協働し、昇降支持ポールは貫通して一部がこの固定孔内に位置し、押圧部品が固定部品に対して作用力を加えて昇降支持ポールを碗座に固定させ、固定部品が碗座に嵌合固定しまたは碗座に設置されてもよく、これによって、高さを自由に調節する効果を果たす。この設計は簡単な機械構造を用い、摩擦力を発生させて位置を固定し、高さの無段調節を実現し、取り付けが利便であり、ペットの異なる成長段階によって高さを調整し、浪費を回避し、且つ使用しないとき、部品を取り外し、搬送と貯蔵体積を節約する。
【図面の簡単な説明】
【００２８】
【図１】本考案における高さ調節可能な碗の実施例１の一部を示す図である。
【図２】本考案における高さ調節可能な碗の実施例１の他部を示す図である。
【図２ａ】図２において固定柔軟カバーの拡大構成を示す図である。
【図３ａ】本考案の高さ調節可能な碗の実施例１の昇降支持ポールのアンロック位置を示す図である。
【図３ｂ】本考案の高さ調節可能な碗の実施例１の昇降支持ポールのロック位置を示す図である。
【図４】本考案における高さ調節可能な碗の実施例２の一部を示す図である。
【図４ａ】図４において昇降ロック部品の拡大構成を示す図である。
【図５】本考案における高さ調節可能な碗の実施例２の他部を示す図である。
【図６】図５において係止部品の拡大図である。
【図７ａ】本考案における高さ調節可能な碗の実施例２の昇降支持ポールのアンロック位置を示す図である。
【図７ｂ】本考案における高さ調節可能な碗の実施例２の昇降支持ポールのロック位置を示す図である。
【図８】本考案における高さ調節可能な碗の実施例３の一部を示す図である。
【図９ａ】本考案における高さ調節可能な碗の実施例３の昇降支持ポールのアンロック位置を示す図である。
【図９ｂ】本考案における高さ調節可能な碗の実施例３の昇降支持ポールのロック位置を示す図である。
【図１０】本考案における高さ調節可能な碗実施例３の他部を示す図である。
【図１１ａ】本考案における高さ調節可能な碗の実施例３の昇降支持ポールのアンロック位置を示す図である。
【図１１ｂ】本考案における高さ調節可能な碗の実施例３の昇降支持ポールのロック位置を示す図である。
【図１２】本考案における高さ調節可能な碗の実施例４を示す図である。
【図１３】本考案における高さ調節可能な碗の実施例４の局部の断面図である。
【考案を実施するための形態】
【００２９】
本考案の目的、構成、特徴及び効果等をよく理解するために、図面および具体的な実施形態をあわせて本考案をさらに説明する。
【００３０】
本考案において、高さ調節可能な碗がペットの摂食に利便である。
【００３１】
以下、図面および具体的な実施例を参照しながら、本考案の技術的方案を詳細に説明する。
【００３２】
実施例１について、図１、図２、図２ａ、図３ａおよび図３ｂを参照する。
【００３３】
本考案における実施例により提供される高さ調節可能な碗は、台座１と、一端がこの台座１に固定される昇降支持ポール２と、昇降支持ポール２の他端に固定される碗座３と、互いに協働する固定部品４１および押圧部品４２を有する昇降ロック部品４とを含む。この固定部品４１が固定孔４１１を有し、昇降支持ポール２が貫通して一部がこの固定孔４１１内に位置し、押圧部品４２が固定部品４１に対して作用力を加えて昇降支持ポール２を碗座３に固定させ、碗座３が通孔３１を有し、前記固定部品４１が碗座３の一側から一体延伸して形成し、固定が強固であり、固定孔４１１と通孔３１が互いに連通し、昇降支持ポール２は固定孔４１１と通孔３１を貫通して一部がこの固定孔４１１内に位置し、碗座３は通孔３１の両側に位置してそれぞれ穿孔３２が設置され、両碗体５がそれぞれ両穿孔３２に固設され、前記碗体５がプラスチック、メラミンまたはセラミックス等の硬質フォームによって構成される。
【００３４】
固定部品４１は本体部４１２を有し、この本体部４１２は碗座３から一体延伸して形成し、固定が強固であり、この本体部４１２の一側には貫通溝４１２１が貫通して設置され、貫通溝４１２１と通孔３１が互いに連通し、貫通溝４１２１の両側にそれぞれボス４１３が設置され、両ボス４１３にそれぞれ貫通孔４１３１が設置され、回転軸４１５は両貫通孔４１３１に位置し、摩擦体４１６は貫通溝４１２１に位置し、且つ昇降支持ポール２に接触し、押圧部品４２は摩擦体４１６の昇降支持ポール２に離れる一側に位置する回転部４２１を有し、且つ回転部４２１は摩擦体４１６に当接し、この回転部４２１には偏心孔４２１１が貫通して設置され、回転軸４１５はこの偏心孔４２１１に位置し、押圧部品４２はこの回転軸４１５によって本体部４１２に固定され、レンチ部４２２は回転部４２１の一側に設置され、このレンチ部４２２によって回転部４２１を連れてロック位置およびアンロック位置に回動し、操作が利便である。
【００３５】
両阻止筋４１４はそれぞれ貫通溝４１２１の両側に凸設され、阻止筋４１４は固定孔４１１に近づき、かつそれぞれ摩擦体４１６の両側に当接し、摩擦体４１６は両阻止筋４１４に対応してそれぞれ凹部４１４１を設置し、回転部４２１がロック位置まで回転するとき、阻止筋４１４が凹部４１４１にきつく嵌合し、摩擦体４１６が昇降支持ポール２に当接し、回転部４２１がアンロック位置まで回転するとき、阻止筋４１４が凹部４１４１に緩く嵌合し、摩擦体４１６が昇降支持ポール２と特定の距離の間隔をあけてまたはただ接触する。摩擦体４１６の回転部４２１に近づく一側に嵌合接続部４１６１が凹設され、回転部４２１がロック位置まで回転するとき、回転部４２１が嵌合接続部４１６１にきつく嵌合し、回転部４２１がアンロック位置までに回転するとき、回転部４２１が嵌合接続部４１６１に緩く嵌合し、嵌合が密接であり、昇降支持ポール２が安定して固定孔４１１内に固定でき、すべり落ちる現象は発生しない。
【００３６】
台座１には円孔１１が設置され、固定柔軟カバー６は下へこの円孔１１内に固設され、昇降支持ポール２が固定柔軟カバー６内に固定され、且つ固定柔軟カバー６が下へ絞り、構成が簡単であり、コストが低く、且つ操作しやすい。
【００３７】
実施例２について、図４、図４ａ、図５、図６、図７ａおよび図７ｂを参照する。
【００３８】
本考案における実施例によって提供される高さ調節可能な碗は、台座１と、一端がこの台座１に固定される昇降支持ポール２と、昇降支持ポール２の他端に固定される碗座３と、互いに協働する固定部品４１および押圧部品４２を有する昇降ロック部品４とを含む。この固定部品４１が固定孔４１１を有し、昇降支持ポール２が貫通して一部がこの固定孔４１１内に位置し、押圧部品４２が固定部品４１に対して作用力を加えて昇降支持ポール２を碗座３に固定させ、碗座３の一側に延伸部３３が設置され、延伸部３３に通孔３１が設置され、前記固定部品４１が通孔３１に固定される位置決め部４１７を有し、位置決め部４１７から本体部４１２が下へ延伸し、固定孔４１１が貫通して位置決め部４１７および本体部４１２に設置され、固定孔４１１が通孔３１と互いに連通し、昇降支持ポール２は固定孔４１１と通孔３１を貫通してかつ一部がこの固定孔４１１内に位置し、碗座３は通孔３１の両側にそれぞれ穿孔３２が設置され、両碗体５がそれぞれ両穿孔３２に固設され、前記碗体５はプラスチック、メラミンまたはセラミックス等の硬質フォームによって構成される。
【００３９】
この本体部４１２の一側には貫通して貫通溝４１２１が設置され、貫通溝４１２１は通孔３１と互いに連通し、貫通溝４１２１の両側にそれぞれボス４１３が設置され、両ボス４１３にそれぞれ貫通孔４１３１が設置され、回転軸４１５は両貫通孔４１３１に位置し、摩擦体４１６は貫通溝４１２１に位置し、かつ昇降支持ポール２に接触し、押圧部品４２は摩擦体４１６の昇降支持ポール２に離れる一側に位置する回転部４２１を有し、且つ回転部４２１は摩擦体４１６に当接し、この回転部４２１には偏心孔４２１１が貫通して設置され、回転軸４１５はこの偏心孔４２１１に位置し、この回転軸４１５によって押圧部品４２が本体部４１２に固定され、レンチ部４２２は回転部４２１の一側に設置され、このレンチ部４２２によって回転部４２１を連れてロック位置およびアンロック位置に回動する。なお、本体部４１２には下から上まで可動溝４１２２が開設され、この可動溝４１２２は固定孔４１１と貫通溝４１２１とを連通させ、一定の可動空間を有し、弾性的に昇降支持ポール２を固定孔４１１に固定させ、昇降支持ポール２に対する損傷の現象は発生しなく、補助の作用を果たし、位置決め部４１７の外周に外ネジ山が設置され、碗座ロック部品７内の上端には対応して内ネジ山を設置し、碗座ロック部品７は延伸部３３外をカバーし、位置決め部４１７は上へ延伸部３３の通孔３１を貫通し、内ネジ山と外ネジ山とは嵌合して固定する。
【００４０】
両阻止筋４１４はそれぞれ貫通溝４１２１の両側に凸設され、阻止筋４１４は固定孔４１１に近づき、かつそれぞれ摩擦体４１６の両側に当接し、摩擦体４１６は両阻止筋４１４に対応してそれぞれ凹部４１４１を設置し、回転部４２１がロック位置まで回転するとき、阻止筋４１４が凹部４１４１にきつく嵌合し、摩擦体４１６が昇降支持ポール２に当接し、回転部４２１がアンロック位置まで回転するとき、阻止筋４１４が凹部４１４１に緩く嵌合し、摩擦体４１６が昇降支持ポール２と特定の距離の間隔をあけてまたはただ接触する。摩擦体４１６の回転部４２１に近づく一側に嵌合接続部４１６１が凹設され、回転部４２１がロック位置まで回転するとき、回転部４２１が嵌合接続部４１６１にきつく嵌合し、回転部４２１がアンロック位置までに回転するとき、回転部４２１が嵌合接続部４１６１に緩く嵌合する。
【００４１】
台座１には円孔１１が設置され、係止部品８によって昇降支持ポール２を台座１に固定させ、係止部品８は互いに協働するベース８１、摩擦部品８２および上蓋８３を有し、係止孔８４は上下方向に上蓋８３を貫通し、係止孔８４内に摩擦部品８２、ベース８１、および昇降支持ポール２が固設され、ベース８１の上端には外ネジ山を有し、ベース８１の下端には複数の隔離部８５を有し、隣接する両隔離部８５の間に棒状孔８６が設置され、棒状孔８６は係止孔８４と互いに連通し、下方に当接部８７が接続され、摩擦部品８２の内側には間隔をあけて複数の突起筋８８が設置され、突起筋８８は対応して棒状孔８６内に進入し、且つ係止孔８４に露出し、摩擦部品８２の一側には上下方向に貫通してギャップ８９を設置し、摩擦部品８２は隔離部８５の外周をカバーしてかつ下へ当接部８７に当接し、上蓋８３は摩擦部品８２の外周をカバーし、上蓋８３の上端に内ネジ山が設置され、内ネジ山は外ネジ山と嵌合固定し、上蓋８３、摩擦部品８２およびベース８１はいずれも上へ絞り、嵌合が強固である。
【００４２】
上蓋８３の外側に複数の補強リブ９６が設置され、複数の補強リブ９６は上蓋の外周に設置され、強度を保証し、複数の補強リブ９６の下に抵抗部９７が設置され、抵抗部９７は当接部８７と嵌合して位置決めし、組立位置が精確であり、突起筋８８は係止孔８４の中心に向かって絞り、且つ、突起筋８８の自由端両側にそれぞれ案内部９８が設置され、この案内部９８は突起筋８８を棒状孔８６に入れるように案内する。
【００４３】
実施例１および実施例２において、昇降支持ポール２と昇降ロック部品４とが嵌合する部分構成は類似するため、重複した図面の図３ａおよび図３ｂは再び表示しない。
【００４４】
実施例３について、図８、図９ａ、図９ｂ、図１０、図１１ａおよび図１１ｂを参照する。
【００４５】
本考案における実施例によって提供される高さ調節可能な碗は、台座１と、一端がこの台座１に固定される昇降支持ポール２と、昇降支持ポール２の他端に固定される碗座３と、互いに協働する固定部品４１および押圧部品４２を有する昇降ロック部品４とを含む。この固定部品４１が固定孔４１１を有し、昇降支持ポール２が貫通して一部がこの固定孔４１１内に位置し、押圧部品４２が固定部品４１に対して作用力を加えて昇降支持ポール２を碗座３に固定させ、碗座３は通孔３１を有し、前記固定部品４１はこの通孔３１内に固定され、固定孔４１１と通孔３１が互に連通し、昇降支持ポール２は固定孔４１１と通孔３１を貫通して一部がこの固定孔４１１内に位置し、碗座３は通孔３１の両側に位置してそれぞれ穿孔３２が設置され、両碗体５がそれぞれ両穿孔３２に固設され、前記碗体５がプラスチック、メラミンまたはセラミックス等の硬質フォームによって構成される。
【００４６】
固定部品４１は碗座３の通孔３１に嵌合固定される位置決め部４１７を有し、位置決め部４１７から下へ本体部４１２が設置され、固定孔４１１は位置決め部４１７および本体部４１２を貫通して設置され、本体部４１２から下へ複数のロック部４１８が延伸し、隣接する両ロック部４１８ごとに変形溝４１８１を有し、押圧部品４２はロック部４１８に対して押圧し、ロック部４１８は昇降支持ポール２を固定させる。本体部４１２外には外ネジ山が設置され、押圧部品４２に貫通してロック孔４２３が設置され、ロック孔４２３内の上端に内ネジ山は設置され、かつ孔径がロック部４１８の外径より大きく、ロック孔４２３内の下端の孔径がロック部４１８の外径より小さく、内ネジ山が外ネジ山と嵌合固定するとき、ロック孔４２３がロック部４１８を押圧し、変形溝４１８１体積が縮小し、ロック部４１８は昇降支持ポール２に当接し、昇降支持ポール２と固定部品４１がロック位置に位置し、操作が簡単である。
【００４７】
台座１は円孔１１を有し、係止部品８は前記円孔１１に固設され、底蓋９５は台座１の下に位置してかつ係止部品８と嵌合固定し、係止部品８は円孔１１内に設置される基部９０を有し、基部９０から上へ補強筋９１が延伸し、この補強筋９１が下へ台座１に当接し、基部９０から下へネジ山部９２が延伸し、ネジ山部９２が下へ円孔１１を貫通し、ネジ山部９２の下端に複数の嵌合部９３が設置され、隣接する両嵌合部９３の間に退避溝９４が設置され、底蓋９５内に内ネジ山が設置され、この内ネジ山はネジ山部９２に嵌合固定し、係止孔８４は上下方向に補強筋９１、基部９０、ネジ山部９２および嵌合部９３を貫通し、昇降支持ポール２は係止孔８４内に固定され、底蓋９５によって複数の嵌合部９３が係止孔８４の中心に向かって変形変位し、退避溝９４の体積を低減させ、さらに昇降支持ポール２が嵌合部９３によって係止孔８４に当接して固定されるようになり、当然、昇降支持ポール２は台座１に固定されるようになる。
【００４８】
実施例３における碗座３と碗体５の構成は実施例２における碗座３と碗体５の構成と同じであるため、図８は再び表示しない。
【００４９】
実施例４について、図１２および図１３を参照する。
【００５０】
本考案における実施例によって提供される高さ調節可能な碗は、台座１と、一端がこの台座１に固定される昇降支持ポール２と、昇降支持ポール２の他端に固定される碗座３と、互いに協働する固定部品４１および押圧部品４２を有する昇降ロック部品４とを含む。この固定部品４１が固定孔４１１を有し、昇降支持ポール２が貫通して一部がこの固定孔４１１内に位置し、押圧部品４２が固定部品４１に対して作用力を加えて昇降支持ポール２を碗座３に固定させ、押圧部品４２は碗座３の一側から一体延伸して形成し、貫通してロック孔４２３が設置され、前記固定部品４１はこのロック孔４２３内に固定され、碗座３は通孔３１の両側にそれぞれ穿孔３２が設置され、両碗体５はそれぞれ両穿孔３２に固設され、前記碗体５がプラスチック、メラミンまたはセラミックス等の硬質フォームによって構成される。
【００５１】
固定部品４１には固定孔４１１の周囲に囲む複数の変形部４１９が設置され、変形部４１９はロック孔４２３内に位置し、変形部４１９の下に阻止部４１９１が設置され、阻止部４１９１が上へ押圧部品４２に当接するとき、変形部４１９が昇降支持ポール２に当接し、昇降支持ポール２と固定部品４１とがロック位置に位置し、変形部４１９は阻止部４１９１に離れる方向に絞り、操作が簡単であり、固定部品４１は延長部９９を有し、この延長部９９は阻止部４１９１から下へ延伸して形成し、かつ昇降支持ポール２に当接し、延長部９９の両外側にそれぞれ凸点９９１が設置され、嵌合がさらに強固である。固定部品４１は柔軟カバーであり、一般に、軟性材料、例えば、シリコンゴム、ＴＰＲ等によって構成される。
【００５２】
台座１は円孔１１を有し、係止部品８は前記円孔１１に固設され、底蓋９５は台座１の下に位置してかつ係止部品８と嵌合固定し、係止部品８は円孔１１内に設置される基部９０を有し、基部９０から上へ補強筋９１が延伸し、この補強筋９１が下へ台座１に当接し、基部９０から下へネジ山部９２が延伸し、ネジ山部９２が下へ円孔１１を貫通し、ネジ山部９２の下端に複数の嵌合部９３が設置され、隣接する両嵌合部９３の間に退避溝９４が設置され、底蓋９５内に内ネジ山が設置され、この内ネジ山はネジ山部９２に嵌合固定し、係止孔８４は上下方向に補強筋９１、基部９０、ネジ山部９２および嵌合部９３を貫通し、昇降支持ポール２は係止孔８４内に固定され、底蓋９５によって複数の嵌合部９３が係止孔８４の中心に向かって変形変位し、退避溝９４の体積を低減させ、さらに昇降支持ポール２が嵌合部９３によって係止孔８４に当接して固定されるようになり、当然、昇降支持ポール２は台座１に固定されるようになる。
【００５３】
実施例３および実施例４では、台座１と昇降支持ポール２との嵌合固定方式は同じであるため、重複した図面の図１０、図１１ａおよび図１１ｂは再び表示しない。
【００５４】
上述した実施例１乃至実施例４では、台座１と昇降支持ポール２との嵌合固定方式は互いに置換してもよく、いずれも組み合わせることができ、昇降ロック部品４を台座１に固定させ、かつ実施例１乃至実施例４はいずれも総的な発想に属し、多くの構成が同一または類似し、このため、符号も同じであり、一部の符号は再び表示しない。
【００５５】
上述した高さ調節可能な碗では、昇降ロック部品４の固定部品４１と押圧部品４２とが互いに協働し、昇降支持ポール２は貫通して一部がこの固定孔４１１内に位置し、押圧部品４２が固定部品４１に対して作用力を加えて昇降支持ポール２を碗座３に固定させ、固定部品４１が碗座３に嵌合固定しまたは碗座３に設置されてもよく、これによって、高さを自由に調節する効果を果たす。この設計は簡単な機械構造を用い、摩擦力を発生させて位置を固定し、高さの無段調節を実現し、取り付けが利便であり、ペットの異なる成長段階によって高さを調整し、浪費を回避し、且つ使用しないとき、部品を取り外し、搬送と貯蔵体積を節約する。
【００５６】
以上の詳細な説明はただ本考案の好適な実施例の説明であるが、本考案の権利範囲を制限するものではないため、本考案の明細書および図面に基づいて作成した同価技術変化はいずれも本考案の権利範囲に含まれる。
【符号の説明】
【００５７】
台座  １                  円孔  １１              昇降支持ポール  ２
碗座  ３                  通孔  ３１              穿孔  ３２
延伸部  ３３              昇降ロック部品  ４      固定部品  ４１
固定孔  ４１１            本体部  ４１２          貫通溝  ４１２１
可動溝  ４１２２          ボス  ４１３            貫通孔  ４１３１
阻止筋  ４１４            凹部  ４１４１          回転軸  ４１５
摩擦体  ４１６            位置決め部  ４１７      ロック部  ４１８
変形溝  ４１８１          変形部  ４１９          阻止部  ４１９１
押圧部品  ４２            回転部  ４２１          偏心孔  ４２１１
レンチ部  ４２２          ロック孔  ４２３        碗体  ５
固定柔軟カバー  ６        碗座ロック部品  ７      係止部品  ８
ベース  ８１              摩擦部品  ８２          上蓋  ８３
係止孔  ８４              隔離部  ８５            棒状孔  ８６
当接部  ８７              突起筋  ８８            ギャップ  ８９
基部  ９０                補強筋  ９１            ネジ山部  ９２
嵌合部  ９３              退避溝  ９４            底蓋  ９５
嵌合接続部  ４１６１      補強リブ  ９６          抵抗部  ９７
案内部  ９８              延長部  ９９            凸点  ９９１
【図１】
0003211173.tif 000003
【図２】
0003211173.tif 000004
【図２ａ】
0003211173.tif 000005
【図３ａ】
0003211173.tif 000006
【図３ｂ】
0003211173.tif 000007
【図４】
0003211173.tif 000008
【図４ａ】
0003211173.tif 000009
【図５】
0003211173.tif 000010
【図６】
0003211173.tif 000011
【図７ａ】
0003211173.tif 000012
【図７ｂ】
0003211173.tif 000013
【図８】
0003211173.tif 000014
【図９ａ】
0003211173.tif 000015
【図９ｂ】
0003211173.tif 000016
【図１０】
0003211173.tif 000017
【図１１ａ】
0003211173.tif 000018
【図１１ｂ】
0003211173.tif 000019
【図１２】
0003211173.tif 000020
【図１３】
0003211173.tif 000021
【手続補正書】
【提出日】平成29年5月1日(2017.5.1)
【手続補正１】
【補正対象書類名】実用新案登録請求の範囲
【補正対象項目名】全文
【補正方法】変更
【補正の内容】
【実用新案登録請求の範囲】
【請求項１】
台座と、
一端がこの台座に固定される昇降支持ポールと、
昇降支持ポールの他端に固定される碗座と、
互いに協働する固定部品および押圧部品を有し、この固定部品が固定孔を有し、昇降支持ポールが貫通して一部がこの固定孔内に位置し、押圧部品が固定部品に対して作用力を加えて昇降支持ポールを碗座に固定させ、固定部品が碗座に嵌合固定しまたは碗座に設置される昇降ロック部品と、
碗座に設置される碗体と、
を含むことを特徴とする高さ調節可能な碗。
【請求項２】
碗座が通孔を有し、前記固定部品が碗座の一側から一体延伸して形成し、固定孔と通孔が互いに連通し、昇降支持ポールは固定孔と通孔を貫通して一部がこの固定孔内に位置する
ことを特徴とする請求項１に記載の高さ調節可能な碗。
【請求項３】
碗座の一側に延伸部が設置され、延伸部に通孔が設置され、前記固定部品が通孔に固定される位置決め部を有し、位置決め部から本体部が下へ延伸し、固定孔が貫通して位置決め部および本体部に設置される
ことを特徴とする請求項１に記載の高さ調節可能な碗。
【請求項４】
固定部品が本体部を有し、この本体部の一側には貫通して貫通溝が設置され、貫通溝は通孔と互いに連通し、貫通溝の両側にそれぞれボスが設置され、両ボスにそれぞれ貫通孔が設置され、回転軸は両貫通孔に位置し、摩擦体は貫通溝に位置し、かつ昇降支持ポールに接触し、押圧部品は摩擦体の昇降支持ポールに離れる一側に位置する回転部を有し、且つ回転部は摩擦体に当接し、この回転部には偏心孔が貫通して設置され、回転軸はこの偏心孔に位置し、この回転軸によって押圧部品が本体部に固定され、レンチ部は回転部の一側に設置され、このレンチ部によって回転部を連れてロック位置およびアンロック位置に回動する
ことを特徴とする請求項２または３に記載の高さ調節可能な碗。
【請求項５】
本体部には下から上まで可動溝が開設され、この可動溝は固定孔と貫通溝とを連通させる
ことを特徴とする請求項４に記載の高さ調節可能な碗。
【請求項６】
位置決め部の外周に外ネジ山が設置され、昇降ロック部品内の上端には対応して内ネジ山を設置し、昇降ロック部品は延伸部外をカバーし、位置決め部は上へ延伸部の通孔を貫通し、内ネジ山と外ネジ山とは嵌合して固定する
ことを特徴とする請求項３に記載の高さ調節可能な碗。
【請求項７】
両阻止筋はそれぞれ貫通溝の両側に凸設され、阻止筋は固定孔に近づき、かつそれぞれ摩擦体の両側に当接し、摩擦体は両阻止筋に対応してそれぞれ凹部を設置し、回転部がロック位置まで回転するとき、阻止筋が凹部にきつく嵌合し、摩擦体が昇降支持ポールに当接し、回転部がアンロック位置まで回転するとき、阻止筋が凹部に緩く嵌合し、摩擦体が昇降支持ポールと特定の距離の間隔をあけてまたはただ接触する
ことを特徴とする請求項４に記載の高さ調節可能な碗。
【請求項８】
摩擦体の回転部に近づく一側に嵌合接続部が凹設され、回転部がロック位置まで回転するとき、回転部が嵌合接続部にきつく嵌合し、回転部がアンロック位置までに回転するとき、回転部が嵌合接続部に緩く嵌合する
ことを特徴とする請求項４に記載の高さ調節可能な碗。
【請求項９】
碗座は通孔の両側に位置してそれぞれ穿孔が設置され、両碗体がそれぞれ両穿孔に固設される
ことを特徴とする請求項２に記載の高さ調節可能な碗。
【請求項１０】
固定部品は碗座に嵌合固定されまたは碗座に設置される位置決め部を有し、位置決め部から下へ本体部が設置され、固定孔は位置決め部および本体部を貫通して設置され、本体部から下へ複数のロック部が延伸し、隣接する両ロック部ごとに変形溝を有し、押圧部品はロック部に対して押圧し、ロック部は昇降支持ポールを固定させる
ことを特徴とする請求項１に記載の高さ調節可能な碗。
【請求項１１】
本体部外には外ネジ山が設置され、押圧部品に貫通してロック孔が設置され、ロック孔内の上端に内ネジ山は設置され、かつ孔径がロック部の外径より大きく、ロック孔内の下端の孔径がロック部の外径より小さく、内ネジ山が外ネジ山と嵌合固定するとき、ロック孔がロック部を押圧し、変形溝体積が縮小し、ロック部は昇降支持ポールに当接し、昇降支持ポールと固定部品がロック位置に位置する
ことを特徴とする請求項１０に記載の高さ調節可能な碗。
【請求項１２】
押圧部品が碗座に嵌合固定されまたは碗座に設置され、押圧部品が貫通してロック孔を設置し、固定部品には固定孔の周囲に囲む複数の変形部が設置され、変形部はロック孔内に位置し、変形部の下に阻止部が設置され、阻止部が上へ押圧部品に当接するとき、変形部が昇降支持ポールに当接し、昇降支持ポールと固定部品とがロック位置に位置する
ことを特徴とする請求項１に記載の高さ調節可能な碗。
【請求項１３】
変形部は阻止部に離れる方向に絞る
ことを特徴とする請求項１２に記載の高さ調節可能な碗。
【請求項１４】
固定部品は延長部を有し、この延長部は阻止部から下へ延伸して形成し、かつ昇降支持ポールに当接し、延長部の両外側にそれぞれ凸点が設置される
ことを特徴とする請求項１２に記載の高さ調節可能な碗。
【請求項１５】
台座には円孔が設置され、固定柔軟カバーは下へこの円孔内に固設され、昇降支持ポールが固定柔軟カバー内に固定され、且つ固定柔軟カバーが下へ絞る
ことを特徴とする請求項１に記載の高さ調節可能な碗。
【請求項１６】
台座には円孔が設置され、係止部品によって昇降支持ポールを台座に固定させ、係止部品は互いに協働するベース、摩擦部品および上蓋を有し、係止孔は上下方向に上蓋、摩擦部品およびベースを貫通し、昇降支持ポールが係止孔内に固設される
ことを特徴とする請求項１に記載の高さ調節可能な碗。
【請求項１７】
ベースの上端には外ネジ山を有し、ベースの下端には複数の隔離部を有し、隣接する両隔離部の間に棒状孔が設置され、棒状孔は係止孔と互いに連通し、下方に当接部が接続され、摩擦部品の内側には間隔をあけて複数の突起筋が設置され、突起筋は対応して棒状孔内に進入し、且つ係止孔に露出し、摩擦部品の一側には上下方向に貫通してギャップを設置し、摩擦部品は隔離部の外周をカバーしてかつ下へ当接部に当接し、上蓋は摩擦部品の外周をカバーする
ことを特徴とする請求項１６に記載の高さ調節可能な碗。
【請求項１８】
上蓋の上端に内ネジ山が設置され、内ネジ山は外ネジ山と嵌合固定し、上蓋、摩擦部品およびベースはいずれも上へ絞る
ことを特徴とする請求項１７に記載の高さ調節可能な碗。
【請求項１９】
上蓋の外側に複数の補強リブが設置され、複数の補強リブは上蓋の外周に設置され、複数の補強リブの下に抵抗部が設置され、抵抗部は当接部と嵌合して位置決めする
ことを特徴とする請求項１７に記載の高さ調節可能な碗。
【請求項２０】
突起筋は係止孔の中心に向かって絞り、突起筋の自由端両側にそれぞれ案内部が設置される
ことを特徴とする請求項１７に記載の高さ調節可能な碗。